(57)【特許請求の範囲】
【請求項１】
印画媒体を走行させる印画媒体走行手段と、
少なくとも印画媒体に形成された画像上に熱転写される画像保護層が形成された熱転写シートを走行させるシート走行手段と、
印画媒体の走行方向に対して直交する方向に発熱素子がライン状に配列されたサーマルヘッドと、
上記サーマルヘッドを駆動制御する制御手段とを備え、
上記制御手段は、上記印画媒体に形成された画像上に熱転写される画像保護層上に、上記サーマルヘッドの発熱素子への熱エネルギを選択的に変化させ印画媒体上に凹凸パターンを形成するに際して、上記サーマルヘッドの発熱素子列を、隣接する少なくとも２以上の発熱素子で構成される発熱素子群にランダムに分割し、上記発熱素子群を構成する発熱素子に同一の熱エネルギを印加し、隣接する発熱素子群間で異なる熱エネルギを印加するようにし、
更に、上記サーマルヘッドの各々の発熱素子について、上記印画媒体の走行方向に少なくとも２ライン同じ熱エネルギを印加し、
上記隣接する発熱素子群間で、２種類の熱エネルギを印加するプリンタ装置。
【請求項２】
上記２種類の熱エネルギについて、各エネルギで形成される凹凸パターンの凹部と凸部の印画媒体上における面積比が４：６〜６：４であることを特徴とする請求項１記載のプリンタ装置。
【請求項３】
印画媒体上に熱転写により形成された画像上に熱転写される画像保護層に、サーマルヘッドの発熱素子への熱エネルギを選択的に変化させ印画媒体上に凹凸パターンを形成するラミネート方法において、
上記印画媒体の印画ライン毎に、上記サーマルヘッドの発熱素子列を、隣接する少なくとも２以上の発熱素子で構成される発熱素子群にランダムに分割し、上記発熱素子群を構成する発熱素子に同一の熱エネルギを印加し、隣接する発熱素子群間で異なる熱エネルギを印加し、
更に、上記サーマルヘッドの各々の発熱素子について、上記印画媒体の走行方向に少なくとも２ライン同じ熱エネルギを印加し、
上記隣接する発熱素子群間で、２種類の熱エネルギを印加することを特徴とするラミネート方法。
【発明の詳細な説明】
【技術分野】
【０００１】
本発明は、印画媒体に形成された画像上に、画像保護層を熱転写によってラミネートし、この画像保護層に凹凸パターンを設けて銀塩写真に似た光沢感のある絹目調の風合いを出すことができるプリンタ装置及びラミネート方法に関する。
【背景技術】
【０００２】
印画方法には、熱転写シートの染料等の色材を被記録媒体に熱転写させて画像を形成する熱転写型がある。この方法では、更に、被記録媒体に形成された画像を保護するため透明な画像保護層を画像上に形成するようにしている。この熱転写型の印画方法は、画像濃度を任意に制御する濃度階調方式であるため高階調性、色再現性に優れ、銀塩写真に近い高画質画像を得ることができる。
【０００３】
この熱転写型においては、銀塩写真に近い高画質画像のみならず、銀塩写真に近い仕上がりが求められている。銀塩写真の分野では、銀塩写真の仕上がりに光沢と絹目とがあることは周知であり、ユーザは、好みに応じてこれらを選択するようになっている。最近では、表面が光沢のある絹目調の印画物が望まれることがある。
【０００４】
この熱転写型の印画方法で絹目調の仕上がりを実現する手法としては、下記特許文献１〜特許文献４がある。
【０００５】
特許文献１では、原紙の表面のポリオレフィン樹脂層にエンボスロール等により絹目調のような型付加工を施した後に受容層塗工後の印画紙表面粗さを規定している。このように、もともと表面粗さの高い印画紙は、印画時に印画紙表面とインクリボン、プリンタヘッドの発熱素子との密着性が悪いため、印画後印画紙には白抜け等が発生し、印画品位が悪くなる虞がある。
【０００６】
特許文献２には、画像保護層転写後に加熱条件下で表面に凹凸形状を有するロール状のエンボス版を型押しし、印画後表面にマット形状を得ることが記載されている。しかしながら、加熱無しでの印画物の型押しでは、印画紙表面の画像保護層や受容層にクラックが生じてしまい、耐光性が低下してしまう虞がある。クラックを防ぐには、加熱しながら印画物の型押しを行う必要があり、少なくとも画像保護層のガラス転移温度（Ｔｇ）以上、例えば約１００℃以上にエンボス版を加熱しなければならない。更には、エンボス版と印画紙の型押圧力も必要なため、型押し装置自体が大型になる。このように、型押し装置が大型化すると、プリンタ本体に内蔵することは難しく、印画後短時間で、画像保護層に凹凸パターンを形成することは困難である。
【０００７】
この点、特許文献３には、画像保護層を形成する際に一定距離毎又は連続的に加熱素子に対して連続的に印加する熱エネルギを変化させることにより、表面の光沢を任意の順序に不均一にさせる手法が記載されている。この方法によれば、プリンタ内部に特別な装置を必要としない。また、光沢と絹目状等の仕上がりを選択でき、また、仕上がりにより印画時間はほとんど変わることはない。
【０００８】
特許文献４には、凹凸パターンを記録したメモリを設け、画像保護層転写時に各印画ラインの凹凸パターンデータを生成し、熱転写ヘッドへの印加電圧を変化させ所望の凹凸パターンを形成することが記載されている。
【０００９】
しかしながら、凹凸パターンそのものについては、特許文献３では「任意の順序に不均一にさせる」、特許文献４では「最小単位となるランダムのパターンデータの作成はどんな方法でも構わない」と記載されているだけであり、光沢感のある絹目調の風合いを出すための具体的な凹凸パターンについての検討はなされていない。
【特許文献１】特許第３１８５２５４号公報
【特許文献２】特開２００６−１８２０１２号公報
【特許文献３】特許第３０２１４９０号公報
【特許文献４】特許第３８６１２９３号公報
【発明の開示】
【発明が解決しようとする課題】
【００１０】
本発明は、以上のような課題に鑑みてなされたものであって、その目的は、画像保護層転写時にサーマルヘッドの発熱素子への熱エネルギの加え方を規定することにより、銀塩写真に近い絹目調の印画物、印画紙上で再現性の良い凹凸パターンを形成することができるプリンタ装置及びラミネート方法を提供することにある。
【課題を解決するための手段】
【００１１】
本発明に係るプリンタ装置は、印画媒体を走行させる印画媒体走行手段と、少なくとも印画媒体に形成された画像上に熱転写される画像保護層が形成された熱転写シートを走行させるシート走行手段と、印画媒体の走行方向に対して直交する方向に発熱素子がライン状に配列されたサーマルヘッドと、上記サーマルヘッドを駆動制御する制御手段とを備える。上記制御手段は、上記印画媒体に形成された画像上に熱転写される画像保護層上に、上記サーマルヘッドの発熱素子への熱エネルギを選択的に変化させ印画媒体上に凹凸パターンを形成するに際して、上記サーマルヘッドの発熱素子列を、隣接する少なくとも２以上の発熱素子で構成される発熱素子群にランダムに分割し、上記発熱素子群を構成する発熱素子に同一の熱エネルギを印加し、隣接する発熱素子群間で異なる熱エネルギを印加する。そして、上記サーマルヘッドの各々の発熱素子について、上記印画媒体の走行方向に少なくとも２ライン同じ熱エネルギを印加し、上記隣接する発熱素子群間で、２種類の熱エネルギを印加する。
【００１２】
また、本発明に係るラミネート方法は、印画媒体上に熱転写により形成された画像上に熱転写される画像保護層に、サーマルヘッドの発熱素子への熱エネルギを選択的に変化させ印画媒体上に凹凸パターンを形成する。そして、上記印画媒体の印画ライン毎に、上記サーマルヘッドの発熱素子列を、隣接する少なくとも２以上の発熱素子で構成される発熱素子群にランダムに分割し、上記発熱素子群を構成する発熱素子に同一の熱エネルギを印加し、隣接する発熱素子群間で異なる熱エネルギを印加する。そして、上記サーマルヘッドの各々の発熱素子について、上記印画媒体の走行方向に少なくとも２ライン同じ熱エネルギを印加し、上記隣接する発熱素子群間で、２種類の熱エネルギを印加する。
【発明の効果】
【００１３】
本発明では、サーマルヘッドの発熱素子列を、隣接する２以上の発熱素子からなる発熱素子群にランダムに分割し、発熱素子群を構成する発熱素子に同一の熱エネルギを印加し、隣接する発熱素子群間で異なる熱エネルギを印加することで、銀塩写真に近い絹目調の印画物、印画紙上で再現性の良い凹凸パターンを形成することができる。また、サーマルヘッドの各々の発熱素子について、印画媒体の走行方向に少なくとも２ライン同じ熱エネルギを印加するようにしているので、より凹凸が明確な凹凸パターンを画像が形成された印画媒体の画像保護層上に熱転写することができる。
【発明を実施するための最良の形態】
【００１４】
以下、本発明を適用した昇華型のプリンタ装置及びこのプリンタ装置を用いた印画物のラミネート方法を、図面を参照して説明する。
【００１５】
このプリンタ装置１は、図１に示すように、印刷時、印画紙等の印画媒体１４を、ガイドローラ１１でガイドし、キャプスタン１２とピンチローラ１３とで挟持して走行させる。また、このプリンタ装置１には、熱転写シートを収容したカートリッジが装着され、巻取リール１６が回転駆動されることによって、熱転写シート１５を供給リール１７から巻取リール１６に走行させる。熱転写シート１５のインクを印画媒体１４に転写する印刷位置には、サーマルヘッド１８とプラテンローラ１９とが対向配置されている。熱転写シート１５からは、サーマルヘッド１８によって印画媒体１４に所定の圧力で押圧されながら、染料等の色材が昇華され印画媒体１４に熱転写される。
【００１６】
ここで、印画媒体１４について図２を参照して説明すると、この印画媒体１４は、紙（パルプ）、ポリプロピレン（ＰＰ）、ポリエチレンテレフタレート（ＰＥＴ）等で形成された基材１４ａ一方の面に、熱転写シート１５から転写される染料を受容し、受容した染料を保持する受容層１４ｂが形成されている。この受容層１４ｂは、アクリル系樹脂、ポリエステル、ポリカーボネート、ポリ塩化ビニル等の熱可塑性樹脂等で形成されている。また、基材１４ａの他方の面には、ガイドローラ１１やプラテンローラ１９との間の摩擦を低減するバック層１４ｃが形成されている。
【００１７】
一方、熱転写シート１５は、図３に示すように、ポリエステルフィルム、ポリスチレンフィルム等の合成樹脂フィルムでなる基材１５ａの一方の面に画像を形成するイエロー、マゼンタ、シアン、ブラックの各色の染料、顔料等の色材と熱可塑性樹脂とで形成された色材層１５ｂ，１５ｃ，１５ｄ，１５ｅ及び例えば色材層１５ｂ，１５ｃ，１５ｄ，１５ｅと同じ熱可塑性樹脂で形成された画像保護層１５ｆが形成されている。そして、基材１５ａには、色材層１５ｂ，１５ｃ，１５ｄ，１５ｅ及び画像保護層１５ｆを一組として、これらの層１５ｂ〜１５ｆが面順次で長手方向に並んで形成されている。色材層１５ｂ，１５ｃ，１５ｄ，１５ｅは、サーマルヘッド１８により印刷する画像データに応じた熱エネルギが印加されることによって、印画媒体１４の受容層１４ｂに昇華され熱転写される。
【００１８】
具体的に、色材層１５ｂ，１５ｃ，１５ｄ，１５ｅは、メチルセルロース、エチルセルロース、ヒドロキシエチルセルロース、ヒドロキシプロピルセルロース、酢酸セルロース等のセルロース系樹脂、ポリビニルアルコール、ポリビニルブチラール、ポリビニルアセトアセタール、ポリ酢酸ビニル、ポリスチレン等のビニル系樹脂、その他各種ウレタン樹脂等に昇華性或いは熱拡散性染料を分散させたものから構成される。
【００１９】
また、画像保護層１５ｆは、ポリエステル系、セルロースエステル系等の熱可塑性樹脂で形成され、更に、画像の保存性を高めるために、紫外線吸収剤、光安定剤、酸化防止剤等を添加しても良い。
【００２０】
また、画像保護層１５ｆは、色材層１５ｂ，１５ｃ，１５ｄ，１５ｅが転写されて形成された画像の上に、更に熱転写される。この際、印画媒体１４に熱転写された画像保護層１５ｆは、表面がサーマルヘッド１８の熱エネルギによって微小凹凸加工されて絹目調にされる。
【００２１】
なお、本発明で使用する熱転写シート１５は、少なくとも画像保護層１５ｆを有していれば、その他の構成は特に限定されるものではない。例えば、熱転写シート１５は、ブラックの色材層と画像保護層で構成されていても良い。また、別のプリンタ等で画像が印刷された印画媒体１４に対して画像保護層１５ｆを熱転写する場合には、熱転写シート１５は、画像保護層１５ｆだけを有していれば良い。
【００２２】
サーマルヘッド１８は、図４に示すように、セラミック基板１８ａにグレース層１８ｂを介して発熱抵抗体等でなる発熱素子１８ｃが直線のライン状に設けられ、その上層に、発熱素子１８ｃを保護する保護層１８ｄが設けられている。セラミック基板１８ａは、放熱性に優れ、発熱素子１８ｃの蓄熱を防止する機能を有する。また、グレース層１８ｂは、発熱素子１８ｃを印画媒体１４や熱転写シート１５に当接させるため、発熱素子１８ｃを印画媒体１４や熱転写シート１５に突出させるものであり、また、発熱素子１８ｃの熱がセラミック基板１８ａに吸収され過ぎないようにするためのバッファ層となる。サーマルヘッド１８は、１ラインずつ印画媒体１４との間に介在する熱転写シート１５の色材を発熱素子１８ｃで加熱し昇華させて印画媒体１４に転写する。
【００２３】
以上のように構成されたプリンタ装置１の回路構成について説明すると、図５に示すように、プリンタ装置１は、印刷する画像データが入力されるインタフェース（以下、単にＩ／Ｆという。）２１と、Ｉ／Ｆ２１より入力された画像データを蓄積する画像メモリ２２と、制御プログラム等が格納される制御メモリ２３と、サーマルヘッド１８等の全体の動作を制御する制御部２４とが、バス２５を介して接続されている。また、このバス２５には、印画媒体１４を給紙部から排紙部まで走行させるキャプスタン１２やキャプスタン１２の駆動源となるモータ等を有する印画媒体走行部２６やサーマルヘッド１８や熱転写シート１５を走行させる巻取リール１６や巻取リール１６の駆動源となるモータ等を有するシート走行部２７が接続され、印画媒体走行部２６やシート走行部２７も制御部２４によって制御される。
【００２４】
Ｉ／Ｆ２１は、印刷する画像を表示するＬＣＤ（Liquid Crystal Display）やＣＲＴ（Cathode Ray Tube）等の表示装置、記録媒体が装着される記録及び／又は再生装置等の電気機器が接続される。例えば、表示装置に動画が表示されているとき、ユーザが選択した静止画像データが入力される。また、Ｉ／Ｆ２１は、記録及び／又は再生装置が接続されているとき、光ディスク、ＩＣカード等の記録媒体に記録されている静止画像データが入力される。なお、このＩ／Ｆ２１には、ＵＳＢ（Universal Serial Bus）、ＩＥＥＥ（the Institute of Electrical and Electronic Engineers）１３９４、ブルートゥース（Bluetooth）等の規格に基づいて有線又は無線で電気機器が接続される。
【００２５】
画像メモリ２２には、少なくとも画像データを１枚分記憶することができる容量を有し、Ｉ／Ｆ２１より入力された印刷する画像データが入力され、一時的に保存される。
【００２６】
制御メモリ２３は、プリンタ装置１の全体の動作を制御する制御プログラム等が格納されている。制御部２４は、制御メモリ２３に格納された制御プログラムに基づいて全体の動作を制御する。
【００２７】
また、制御メモリ２３には、サーマルヘッド１８の直線状の発熱素子１８ｃの列１８ｆを、隣接する２以上の発熱素子１８ｃからなる発熱素子群１８ｅにランダムに分割し、発熱素子群１８ｅを構成する発熱素子１８ｃに同一の熱エネルギを印加し、隣接する発熱素子群１８ｅに異なる熱エネルギを印加する凹凸パターンデータを格納し、この凹凸パターンデータに基づいて、熱転写シート１５の画像保護層１５ｆを印画媒体１４に形成された画像上に熱転写する際に、サーマルヘッド１８が駆動されるようにしている。具体的に、図６の例では、ライン状に一列に並んだ発熱素子列１８ｆを、例えば横２画素分を最小単位とする発熱素子群１８ｅをランダムに分割した凹凸パターンデータとなっており、発熱素子群１８ｅ−１は、最小単位の横２画素となっており、発熱素子群１８ｅ−２は、横３画素となっている。なお、最小単位は、横３画素以上であっても良い。
【００２８】
本発明の発明者による実験によれば、印画媒体１４上に凹凸パターンを形成するためのランダムパターンの印画方向に対して直交方向（発熱素子１８ｃがライン状に並んだ方向）のパターンのうち、１個の発熱素子１８ｃに印加する熱エネルギとこの１個の発熱素子１８ｃの左右に隣接する発熱素子１８ｃに印加する熱エネルギとに差があると、注目した１個の発熱素子１８ｃによって形成される凹部又は凸部は印画紙上に形成され難いことを確認することができた。特に、熱エネルギ差を設け、熱エネルギを強くし、マット面に、熱エネルギを弱めて光沢面を形成したい場合には、隣接する左右の発熱素子１８ｃの熱エネルギ強さの影響を最も受け易く、間の１発熱素子による印画パターンはほとんど形成されない。これらを多く含む凹凸パターンを印画し目視観察すると、凹部、凸部が不明瞭なため、全面マット調の印画物の印象を受け、本発明の目的の絹目状の印画物を得ることができなくなる。そこで、本発明では、制御メモリ２３に格納する凹凸パターンデータを、少なくとも隣接する２以上の発熱素子１８ｃに同一の熱エネルギを加えるようにしている。
【００２９】
また、制御メモリ２３に格納する凹凸パターンデータは、サーマルヘッド１８の各々の発熱素子１８ｃについて、印画ライン間で、すなわち印画媒体１４の走行方向に少なくとも２ライン同じ熱エネルギを印加することにより、より凹凸が明確な凹凸パターンを熱転写シート１５の画像保護層１５ｆを印画媒体１４に形成された画像上に熱転写できるようにしている。
【００３０】
ここで、凹凸パターンデータに従ってサーマルヘッド１８の各発熱素子１８ｃを発熱させるに当たっては、画像保護層１５ｆを熱転写するときに発熱素子１８ｃに印加する熱エネルギを２種類（熱エネルギ大及び熱エネルギ小、熱エネルギの大きさは任意）とした場合には、画像保護層１５ｆ上に凹凸パターンを視覚的に明確に形成することができる。ここでの熱エネルギには、熱エネルギ差を最大にする、又は、熱エネルギ大と熱エネルギ小で形成される面粗さの差が最小になる程度に熱エネルギ差を設けると、一層光沢感のある絹目調の風合いを形成することができる。例えば、凹部を形成するために、熱エネルギ大を印加したとき、更に、これより大きな熱エネルギを印加することによって、凹部の底面を平滑にすることができ、これにより、熱エネルギ大と熱エネルギ小で形成される面粗さの差を小さくすることができる。
【００３１】
また制御メモリ２３に格納される凹凸パターンデータでは、画像保護層１５ｆを印画媒体１４に形成された画像上に熱転写する際に発熱素子１８ｃに印加する熱エネルギを２種類とした場合、各熱エネルギで構成される凹凸パターンの凹部と凸部の印画媒体１４上における面積比が４：６〜６：４であると絹目状の視覚的効果が高い。これは、この範囲以外であると、印画媒体１４上に凹凸パターンがほとんど形成されていないように見え、印画媒体１４の全面が光沢面かマット面であると感じられ、視覚的効果が極端に低くなるためである。
【００３２】
本発明では、制御メモリ２３に格納されている凹凸パターンデータを以上のように構成することによって、画像保護層１５ｆの表面に微小凹凸の加工をして表面を絹目調に形成するようにしている。
【００３３】
制御部２４は、制御メモリ２３に格納された制御プログラムに基づいて全体の動作を制御する。例えば、制御部２４は、印刷する画像に応じてサーマルヘッド１８を制御すると共に、印画媒体１４に画像が形成された後、画像保護層１５ｆを熱転写するようにサーマルヘッド１８を制御する。制御部２４は、画像保護層１５ｆを熱転写する際、制御メモリ２３に格納された凹凸パターンデータに従って、サーマルヘッド１８の発熱素子１８ｃを駆動制御し、画像に熱転写された画像保護層１５ｆの表面に凹凸パターンが形成されるようにする。
【００３４】
ここで、以上のように構成されたプリンタ装置１の印刷動作について説明する。制御部２４は、制御メモリ２３に格納されたプログラムに従って、印画媒体走行部２６を駆動制御し、印画媒体１４の印刷開始位置を、サーマルヘッド１８の位置まで搬送する。また、制御部２４は、搬送した印画媒体１４にイエローの色材層１５ｂ、マゼンタの色材層１５ｃ、シアンの色材層１５ｄ、ブラックの色材層１５ｅ、画像保護層１５ｆの順に熱転写できるように、シート走行部２７を駆動制御し、熱転写シート１５を走行させる。そして、制御部２４は、高速に印画媒体１４を走行させながら、サーマルヘッド１８を印刷するデータに応じて駆動し、熱転写シート１５の色材層１５ｂ〜１５ｅをイエロー、マゼンタ、シアン、ブラックの順に画像データに応じた濃度となるように熱転写し、印画媒体１４に画像を形成し、次いで、画像形成時より低速で印画媒体１４を走行させながら画像保護層１５ｆを画像上に熱転写する。この際、制御部２４は、転写した画像保護層１５ｆの表面に、上述した凹凸パターンデータに従って微小凹凸を形成して、画像保護層１５ｆの表面を絹目調とする加工処理を行う。
【実施例】
【００３５】
先ず、評価に用いる印画物を印刷するプリンタ装置の仕様を説明する。ここで使用したプリンタ装置は、サーマルヘッドにより画像を印画媒体１４に熱転写し、更に、画像保護層１５ｆを印画媒体１４に熱転写する装置であり、ソニー株式会社製のプリンタＵＰ−Ｄ７５を使用した。このプリンタの印画解像度は３００ｄｐｉであり、１発熱素子の幅及び印画方向のラインピッチは約８５μｍである。
【００３６】
・実施例１
次に凹凸パターンデータの作成について説明する。縦１画素、横３６画素の格子について、横２画素分が同一の熱エネルギを印加する最小単位として、白は熱エネルギ小（画像保護層１５ｆで凸となる部分）、黒は熱エネルギ大（画像保護層１５ｆで凹となる部分）とし、熱エネルギ小と熱エネルギ大の面積比が５／５になるように割り当てた。なお、同一の熱エネルギを印加する発熱素子群１８ｅの序列はランダムに配列した。ここでの１画素は、１個の発熱素子１８ｃの熱エネルギ状態を表す。これを３６回繰り返し縦方向に束ねることで、図７のような凹凸のランダムパターンを得た。このパターンサイズは、印画媒体１４上では、約３ｍｍ×約３ｍｍとなる。
【００３７】
上記作成したランダムパターンを、パーソナルコンピュータ（ＯＳはＷｉｎｄｏｗｓ（登録商標）  ＸＰ。以下、コンピュータと称す。）でＡｄｏｂｅ社製のソフトウェア（ＡｄｏｂｅＰｈｏｔｏ  Ｓｈｏｐ  ７．０）のコマンド：パターンメーカーを使用してＡ４サイズの画像データを生成し、これを凹凸パターンデータとした。
【００３８】
また、作製した画像データを上記プリンタに転送する装置としては、コンピュータを使用し、このコンピュータと上記プリンタ装置とをＵＳＢケーブルにより接続した。また、上記コンピュータで、Ａｄｏｂｅ社製のソフトウェア（ＡｄｏｂｅＰｈｏｔｏ  Ｓｈｏｐ）を使用して、黒ベタの画像データを作製した。この画像データを上記プリンタ装置に転送し、熱転写シート１５となるインクリボン及び印画媒体１４のセット（ソニー株式会社製ＵＰＣ−７４７、用紙サイズＡ４＋（ポリプロピレン（ＰＰ）基材））を使用して黒ベタ画像を、印画ライン速度４ｍｓｅｃ／Ｌｉｎｅで印画した。この後、画像保護層１５ｆを、作成した凹凸パターンデータに従って、熱転写時の印画ライン速度８ｍｓｅｃ／Ｌｉｎｅで、熱エネルギ大部分にイエロー（Ｒ、Ｇ、Ｂ）=(２５５、２５５、０)を印加し、熱エネルギ小部分にイエロー（Ｒ、Ｇ、Ｂ）=(２５５、２５５、１００)の熱エネルギを印加して、黒ベタ画像上に熱転写によってラミネートした。
【００３９】
・実施例２
縦１画素、横３６画素の格子について、横３画素分が同一の熱エネルギを印加する最小単位として、熱エネルギをランダムに割り当てた以外は実施例１と同様に凹凸パターンデータを作製し、印画を行った。
【００４０】
・実施例３
縦２画素、横３６画素の格子について、縦２×横２画素分が同一の熱エネルギを印加する最小単位として、熱エネルギをランダムに割り当て、これを１８回繰り返し縦方向に束ねることで、印画紙上で約３ｍｍ×約３ｍｍの基本凹凸パターンを得た以外は実施例１と同様に凹凸パターンを作製し、印画を行った。
【００４１】
・実施例４
縦３画素、横３６画素の格子について、縦３×横２画素分が同一の熱エネルギを印加する最小単位として、熱エネルギをランダムに割り当て、これを１２回繰り返し縦方向に束ねることで、印画紙上で約３ｍｍ×約３ｍｍの基本凹凸パターンを得た以外は実施例１と同様に凹凸パターンを作製し、印画を行った。
【００４２】
・実施例５
熱エネルギ大と熱エネルギ小の面積比が３／７になるように割り当てた以外は実施例２と同様に凹凸パターンを作製し、印画を行った。
【００４３】
・実施例６
熱エネルギ大と熱エネルギ小の面積比が４／６になるように割り当てた以外は実施例２と同様に凹凸パターンを作製し、印画を行った。
【００４４】
・実施例７
熱エネルギ大と熱エネルギ小の面積比が６／４になるように割り当てた以外は実施例２と同様に凹凸パターンを作製し、印画を行った。
【００４５】
・実施例８
熱エネルギ大と熱エネルギ小の面積比が７／３になるように割り当てた以外は実施例２と同様に凹凸パターンを作製し、印画を行った。
【００４６】
・比較例１
縦１画素、横３６画素の格子について、横１画素分が同一の熱エネルギを印加する最小単位として、熱エネルギをランダムに割り当てた以外は実施例１と同様に凹凸パターンを作製し、印画を行った。
【００４７】
・比較例２
縦２画素、横３６画素の格子について、縦２×横１画素分が同一の熱エネルギを印加する最小単位として、熱エネルギをランダムに割り当て、これを１８回繰り返し縦方向に束ねることで、印画紙上で約３ｍｍ×約３ｍｍの基本凹凸パターンを得た以外は実施例１と同様に凹凸パターンを作製し、印画を行った。
【００４８】
・比較例３
縦３画素、横３６画素の格子について、縦３×横１画素分が同一の熱エネルギを印加する最小単位として、熱エネルギをランダムに割り当て、これを１２回繰り返し縦方向に束ねることで、印画紙上で約３ｍｍ×約３ｍｍの基本凹凸パターンを得た以外は実施例１と同様に凹凸パターンを作製し、印画を行った。
【００４９】
（評価）
（凹凸パターンの再現性）
オリンパス製の光学顕微鏡を用いて対物レンズ１０Ｘで印画媒体１４にラミネートされた画像保護層１５ｆの表面の凹凸パターンの再現性を確認した。各実施例及び比較例で作成した凹凸の印画パターンと対比して、画像保護層１５ｆに形成された凹凸パターンの再現性について次の３段階で評価した。
○：作成した印画パターンを再現しており、熱エネルギ差の境界が明確に識別できる。
△：作成した印画パターンをほぼ再現しており、熱エネルギ差の境界が識別できる。
×：作成した印画パターンをほとんど再現しておらず、熱エネルギ差の境界が識別できない。
【００５０】
（目視での印画判定）
銀塩写真上の光沢のある絹目としてＫｏｄａｋ製ロイヤルペーパー＆エッジペーパー上の写真画像と対比して、目視により記録画像の光沢感、表面性について次の４段階で評価した。
◎：銀塩写真と同等の光沢感のある絹目であり、非常に良好。
○：銀塩写真とほぼ同等の光沢感のある絹目であり、良好。
△：銀塩写真よりも光沢感又はマット感が感じられるが絹目跡は付いており、良好。
×：銀塩写真よりも過剰に光沢感がある又は全面艶消しがかっており、絹目跡もほとんど見られず、不良。
【００５１】
凹凸パターンの再現性及び目視の評価結果を表１に示す。
【００５２】
【表１】
0005223317.tif 000002
【００５３】
表１から明らかなように、実施例１〜実施例８では、目視での印画判定が良好であることが確認できる。すなわち、少なくとも、発熱素子の並びの方向、すなわち横方向に２以上の発熱素子１８ｃからなる発熱素子群１８ｅを最小単位として、画像保護層１５ｆに凹凸パターンを設けなければ、凹凸パターンの再現性と目視での印画判定結果を良くすることができないことを確認することができる。そして、この中でも特に、発熱素子群１８ｅを２以上の発熱素子１８ｃとし（横に発熱素子１８ｃを２個以上）、更に、印画ライン間で、すなわち印画媒体１４の走行方向に少なくとも２ライン同じ熱エネルギを印加し、更に、凹凸パターンの面積比が５／５としたとき、目視での印画判定の結果が良好となることが確認することができる（実施例３，４）。
【００５４】
また、比較例２は、縦２×横１画素分が同一の熱エネルギを印加する最小単位としており、実施例１と比較したとき、縦と横を入れ換えたものとなっている。しかしながら、比較例２（図８参照）において、凹凸パターンの再現性と目視での印画判定結果が悪くなっている。これは以下の理由によるものである。なお、図８は、縦２×横１画素分が同一の熱エネルギを印加する最小単位としたときの凹凸パターンの一例を示し、白は熱エネルギ小（画像保護層１５ｆで凸となる部分）、黒は熱エネルギ大（画像保護層１５ｆで凹となる部分）を示している。
【００５５】
図８のように、縦２×横１画素分が同一の熱エネルギを印加する最小単位とすると、熱エネルギ小が印加される凸となる縦２×横１画素の第１の領域３０の両横に熱エネルギ大が印加される凹となる縦２×横１画素の第２の領域３１，３１が形成される場合が生じる。この場合、第１の領域３０は、両側の第２の領域３１，３１に印加された熱エネルギの影響で明確な凸部が形成されなくなる。すなわち第１の領域３０の凸部の表面が荒れて、表面の光沢が無くなった状態となる。このため、比較例２では、凹凸パターンの再現性と目視での印画判定結果が悪くなっている。
【図面の簡単な説明】
【００５６】
【図１】本発明を適用したプリンタ装置の構成を示す図である。
【図２】本発明を適用したプリンタ装置に用いる被記録媒体の要部断面図である。
【図３】本発明を適用したプリンタ装置に用いる熱転写シートの断面図である。
【図４】本発明を適用したプリンタ装置のサーマルヘッドの正面図である。
【図５】本発明を適用したプリンタ装置のブロック図である。
【図６】隣接する２以上の発熱素子からなる発熱素子群を示す図である。
【図７】実施例１の凹凸パターンデータを示す図である。
【図８】比較例２の凹凸パターンを示す図である。
【符号の説明】
【００５７】
１  画像形成装置、１１  ガイドローラ、１２  キャプスタン、１３  ピンチローラ、１４  被記録媒体、１４ａ  基材、１４ｂ  受容層、１４ｃ  バック層、１５  熱転写シート、１５ａ  基材、１５ｂ〜１５ｅ  染料層、１５ｆ  保護層、１６  巻取リール、１７  供給リール、１８  サーマルヘッド、１８ａ  セラミック基板、１８ｂ  グレース層、１８ｃ  発熱素子、１８ｄ  保護層、１８ｅ  発熱素子群、１８ｆ  発熱素子列、１９  プラテンローラ、３０  凸となる縦２×横１画素の第１の領域、３１  凹となる縦２×横１画素の第２の領域
【図１】
0005223317.tif 000003
【図２】
0005223317.tif 000004
【図３】
0005223317.tif 000005
【図４】
0005223317.tif 000006
【図５】
0005223317.tif 000007
【図６】
0005223317.tif 000008
【図７】
0005223317.tif 000009
【図８】
0005223317.tif 000010